【手続補正書】
【提出日】平成16年4月30日(2004.4.30)
【手続補正１】
【補正対象書類名】明細書
【補正対象項目名】発明の名称
【補正方法】変更
【補正の内容】
【発明の名称】符号化装置と符号化方法と符号化プログラムおよび復号化装置と復号化方法と復号化プログラム並びに記録媒体
【手続補正２】
【補正対象書類名】明細書
【補正対象項目名】特許請求の範囲
【補正方法】変更
【補正の内容】
【特許請求の範囲】
【請求項１】
２フレーム毎にフレーム間の画像信号の和信号と差信号を生成する演算手段と、
前記和信号と差信号の符号化処理を行い符号化信号を生成する符号化処理手段と、
前記符号化処理手段で符号化処理を行う前記和信号と差信号に基づき、符号化ビットレートにおける前記和信号の符号化ビットレートと前記差信号の符号化ビットレートとの割合を制御するため制御信号を生成するビットレート割合制御手段を有し、
前記符号化処理手段では、前記制御信号に基づいた符号化ビットレートで前記和信号と差信号の符号化処理を行う
ことを特徴とする符号化装置。
【請求項２】
前記ビットレート割合制御手段は、前記和信号における各画素の信号レベルのばらつきと前記差信号における各画素の信号レベルのばらつきに基づいて前記制御信号を生成する
ことを特徴とする請求項１記載の符号化装置。
【請求項３】
前記ビットレート割合制御手段は、前記和信号を符号化したときのデータ量と前記差信号を符号化したときのデータ量の比に基づいて前記制御信号を生成することを特徴とする請求項１記載の符号化装置。
【請求項４】
前記符号化処理手段は、前記和信号と差信号の何れか一方を符号化処理してから他方の符号化処理を行う
ことを特徴とする請求項１記載の符号化装置。
【請求項５】
前記符号化処理手段は、前記和信号と差信号の信号レベルを調整する信号レベル調整手段を有する
ことを特徴とする請求項１記載の符号化装置。
【請求項６】
２フレーム毎にフレーム間の画像信号の和信号と差信号を生成し、
前記和信号と差信号の符号化処理を行い符号化信号を生成するものとし、
前記符号化処理する和信号と差信号に基づき、符号化ビットレートにおける前記和信号の符号化ビットレートと前記差信号の符号化ビットレートとの割合を制御するため制御信号を生成し、
前記和信号と差信号の符号化処理を前記制御信号に基づいた符号化ビットレートで行うことを特徴とする符号化方法。
【請求項７】
前記和信号における各画素の信号レベルのばらつきと前記差信号における各画素の信号レベルのばらつきに基づいて前記制御信号を生成する
ことを特徴とする請求項６記載の符号化方法。
【請求項８】
前記和信号を符号化したときのデータ量と前記差信号を符号化したときのデータ量の比に基づいて前記制御信号を生成する
ことを特徴とする請求項６記載の符号化方法。
【請求項９】
前記和信号と差信号の何れか一方を符号化処理してから他方の符号化処理を行う
ことを特徴とする請求項６記載の符号化方法。
【請求項１０】
前記和信号と差信号の信号レベルを調整して符号化処理を行う
ことを特徴とする請求項６記載の符号化方法。
【請求項１１】
コンピュータに、
２フレーム毎にフレーム間の画像信号の和信号と差信号を生成する手順と、
前記和信号と差信号に基づき、符号化ビットレートにおける前記和信号の符号化ビットレートと前記差信号の符号化ビットレートとの割合を制御するため制御信号を生成する手順と、
前記制御信号に基づいた符号化ビットレートで前記和信号と差信号の符号化処理を行い符号化信号を生成する手順
とを実行させるための符号化プログラム。
【請求項１２】
２フレーム毎にフレーム間の画像信号の和信号と差信号を生成するとともに、該和信号と差信号の符号化処理を行い、該符号化処理する和信号と差信号に基づき、符号化ビットレートにおける前記和信号の符号化ビットレートと前記差信号の符号化ビットレートとの割合を制御するため制御信号を生成して、前記符号化処理を前記制御信号に基づいた符号化ビットレートで行うことにより生成された符号化信号を用い、前記符号化処理に対応した復号化処理を行うことで前記和信号と差信号を生成する復号化処理手段と、
前記和信号と差信号を用いて演算を行い、２フレーム分の画像信号を生成する演算手段と、
前記２フレーム分の画像信号を所定のフレーム順で出力する出力処理手段とを有する
ことを特徴とする復号化装置。
【請求項１３】
前記復号化処理手段では、前記和信号および／または差信号の信号レベルを調整する信号レベル調整手段を有する
ことを特徴とする請求項１２記載の復号化装置。
【請求項１４】
２フレーム毎にフレーム間の画像信号の和信号と差信号を生成するとともに、該和信号と差信号の符号化処理を行い、該符号化処理する和信号と差信号に基づき、符号化ビットレートにおける前記和信号の符号化ビットレートと前記差信号の符号化ビットレートとの割合を制御するため制御信号を生成して、前記符号化処理を前記制御信号に基づいた符号化ビットレートで行うことにより生成された符号化信号を用い、前記符号化処理に対応した復号化処理を行うことで前記和信号と差信号を生成し、
前記和信号と差信号を用いて演算を行い、２フレーム分の画像信号を生成し、
前記２フレーム分の画像信号を所定のフレーム順で出力する
ことを特徴とする復号化方法。
【請求項１５】
前記和信号および／または差信号の信号レベルを調整してから演算を行う
ことを特徴とする請求項１４記載の復号化方法。
【請求項１６】
コンピュータに、
２フレーム毎にフレーム間の画像信号の和信号と差信号を生成するとともに、該和信号と差信号の符号化処理を行い、該符号化処理する和信号と差信号に基づき、符号化ビットレートにおける前記和信号の符号化ビットレートと前記差信号の符号化ビットレートとの割合を制御するため制御信号を生成して、前記符号化処理を前記制御信号に基づいた符号化ビットレートで行うことにより生成された符号化信号を用い、前記符号化処理に対応した復号化処理を行うことで前記和信号と差信号を生成する手順と、
前記和信号と差信号を用いて演算を行い、２フレーム分の画像信号を生成する手順と、
前記２フレーム分の画像信号を所定のフレーム順で出力する手順
とを実行させるための復号化プログラム。
【請求項１７】
コンピュータに、
２フレーム毎にフレーム間の画像信号の和信号と差信号を生成する手順と、
前記和信号と差信号に基づき、符号化ビットレートにおける前記和信号の符号化ビットレートと前記差信号の符号化ビットレートとの割合を制御するため制御信号を生成する手順と、
前記制御信号に基づいた符号化ビットレートで前記和信号と差信号の符号化処理を行い符号化信号を生成する手順
とを実行させるための符号化プログラムを記録したコンピュータ読み取り可能な記録媒体。
【請求項１８】
コンピュータに、
２フレーム毎にフレーム間の画像信号の和信号と差信号を生成するとともに、該和信号と差信号の符号化処理を行い、該符号化処理する和信号と差信号に基づき、符号化ビットレートにおける前記和信号の符号化ビットレートと前記差信号の符号化ビットレートとの割合を制御するため制御信号を生成して、前記符号化処理を前記制御信号に基づいた符号化ビットレートで行うことにより生成された符号化信号を用い、前記符号化処理に対応した復号化処理を行うことで前記和信号と差信号を生成する手順と、
前記和信号と差信号を用いて演算を行い、２フレーム分の画像信号を生成する手順と、
前記２フレーム分の画像信号を所定のフレーム順で出力する手順
とを実行させるための復号化プログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
この発明は、符号化装置と符号化方法と符号化プログラムおよび復号化装置と復号化方法と復号化プログラム並びに記録媒体に関する。詳しくは、２フレーム毎にフレーム間の画像信号の和信号と差信号を生成し、この和信号と差信号に基づき、符号化ビットレートにおける和信号の符号化ビットレートと差信号の符号化ビットレートとの割合を制御するため制御信号を生成し、この制御信号に基づいた符号化ビットレートで和信号と差信号の符号化処理を行い符号化信号を生成するものである。また、この符号化信号を復号化するものである。
【手続補正４】
【補正対象書類名】明細書
【補正対象項目名】０００７
【補正方法】変更
【補正の内容】
【０００７】
そこで、この発明では、高画質・高圧縮率で高い編集精度を得ることができるとともに、種々の画像圧縮技術を容易に利用できる符号化装置と復号化装置および符号化方法と復号化方法とプログラム並びに記録媒体を提供するものである。
【手続補正５】
【補正対象書類名】明細書
【補正対象項目名】００１４
【補正方法】変更
【補正の内容】
【００１４】
この発明に係る記録媒体は、コンピュータに、２フレーム毎にフレーム間の画像信号の和信号と差信号を生成する手順と、前記和信号と差信号に基づき、符号化ビットレートにおける前記和信号の符号化ビットレートと前記差信号の符号化ビットレートとの割合を制御するため制御信号を生成する手順と、前記制御信号に基づいた符号化ビットレートで前記和信号と差信号の符号化処理を行い符号化信号を生成する手順とを実行させるための符号化プログラムを記録したものである。また、コンピュータに、２フレーム毎にフレーム間の画像信号の和信号と差信号を生成するとともに、該和信号と差信号の符号化処理を行い、該符号化処理する和信号と差信号に基づき、符号化ビットレートにおける前記和信号の符号化ビットレートと前記差信号の符号化ビットレートとの割合を制御するため制御信号を生成して、前記符号化処理を前記制御信号に基づいた符号化ビットレートで行うことにより生成された符号化信号を用い、前記符号化処理に対応した復号化処理を行うことで前記和信号と差信号を生成する手順と、前記和信号と差信号を用いて演算を行い、２フレーム分の画像信号を生成する手順と、前記２フレーム分の画像信号を所定のフレーム順で出力する手順とを実行させるための復号化プログラムを記録したものである。
【手続補正６】
【補正対象書類名】明細書
【補正対象項目名】００１５
【補正方法】変更
【補正の内容】
【００１５】
この発明においては、２フレーム毎にフレーム間の画像信号の和信号と差信号が生成されるとともに、和信号と差信号の符号化処理が行われて符号化信号が生成される。この符号化処理する和信号と差信号に基づき、例えば和信号における各画素の信号レベルのばらつきと差信号における各画素の信号レベルのばらつき、あるいは和信号を符号化したときのデータ量と差信号を符号化したときのデータ量の比に基づいて、符号化ビットレートにおける和信号と差信号の符号化ビットレートの割合を制御するため制御信号が生成される。この生成された制御信号に基づいた符号化ビットレートとなるように符号化処理が行われて符号化信号が生成される。さらに、符号化処理では信号レベルが調整された和信号と差信号を用いることも行われる。
また、このようにして生成された符号化信号を用いて、符号化処理に対応した復号化処理が行われて和信号と差信号が生成される。この和信号および／または差信号の信号レベルが調整されて、信号レベルの調整された和信号と差信号を用いて演算を行うことにより２フレーム分の画像信号が生成される。この２フレーム分の画像信号が所定のフレーム順で出力される。
【手続補正７】
【補正対象書類名】図面
【補正対象項目名】図８
【補正方法】変更
【補正の内容】
【図８】
2004104694.tif 000001